(57)【要約】【課題】薄型化を図るとともに、簡単な操作により拡大レンズで覗いた観察対象の電子的画像を記録できる電子画像記録装置付き拡大鏡を得る。【解決手段】拡大レンズ１２が光軸Ａに沿い観察対象５０を拡大して見せる一方で、拡大レンズ１２の光軸Ａと異なる光軸Ｂに沿った観察対象５０からの光をＣＣＤ１６、１７が読み取って画像信号を出力する。該画像信号を画像処理部２４が拡大レンズ１２の光軸Ａによる画像の画像信号に変換する。レリーズボタン２２が押されると、画像信号は、ＵＳＢ３２でＵＳＢ規格の信号に変換され、パーソナルコンピュータ３８へ出力される。拡大レンズ１２の光軸Ａと異なる光軸Ｂ上にＣＣＤ１６、１７を設けることで、電子画像記録装置付き拡大鏡１０の薄型化が可能となり、画像信号をＵＳＢ規格の信号に変換することで、パーソナルコンピュータ３８での利用が容易になる。【選択図】      図２
2004187231.tif 000002
【特許請求の範囲】
【請求項１】
拡大鏡本体と、
前記拡大鏡本体へ取り付けられ、観察対象を拡大して見せる拡大レンズと、
前記拡大鏡本体へ取り付けられ、前記拡大レンズの光軸と異なる光軸に沿った前記観察対象からの光を読み取って画像信号を出力する撮像素子と、
前記拡大鏡本体に設けられ、前記撮像素子より出力される前記画像信号を前記拡大レンズの光軸による画像の画像信号に変換する画像処理部と、
変換された前記画像信号を外部へ出力するためのインターフェースと、
を有することを特徴とする電子画像記録装置付き拡大鏡。
【請求項２】
前記インターフェースは、ＵＳＢ規格の信号に変換する信号変換部を含むことを特徴とする請求項１記載の電子画像記録装置付き拡大鏡。
【請求項３】
前記インターフェースは、前記画像信号を記録する記録媒体を装填するための前記拡大鏡本体に設けられたスロットに設けられることを特徴とする請求項１または請求項２記載の電子画像記録装置付き拡大鏡。
【発明の詳細な説明】
【０００１】
【発明の属する技術分野】
本発明は、電子的画像記録手段を備えた電子画像記録装置付き拡大鏡に関する。
【０００２】
【従来の技術】
一般的な光学式拡大鏡は、取り扱いが簡単で容易に観察対象の拡大像（虚像）が得られる。しかし、観察対象の電子的画像を記録することはできなかった。
【０００３】
一方、電子式拡大鏡として、図４に示すように、撮影レンズ１００の光軸上にＣＣＤ１０２を設け、その後方に画像処理部１０４や画像表示部１０６を配置するとともに、多機能を目的として操作ボタン１０８等が複数設けられるものがある。（例えば、特許文献１参照）。
【０００４】
しかし、この構成では、薄型化が難しいとともに、操作ボタンが複数あるために高齢者や弱視者には操作が難しい。
【０００５】
【特許文献１】
実用新案登録第２６０７１３１号公報（第１−３頁、第２図）
【０００６】
【発明が解決しようとする課題】
本発明は、上記事実を考慮して、薄型化を図るとともに、簡単な操作により拡大レンズで覗いた観察対象の電子的画像を記録できる電子画像記録装置付き拡大鏡を提供することを課題とする。
【０００７】
【課題を解決するための手段】
請求項１に記載する本発明の電子画像記録装置付き拡大鏡は、拡大鏡本体と、前記拡大鏡本体へ取り付けられ、観察対象を拡大して見せる拡大レンズと、前記拡大鏡本体へ取り付けられ、前記拡大レンズの光軸と異なる光軸に沿った前記観察対象からの光を読み取って画像信号を出力する撮像素子と、前記拡大鏡本体に設けられ、前記撮像素子より出力される前記画像信号を前記拡大レンズの光軸による画像の画像信号に変換する画像処理部と、変換された前記画像信号を外部へ出力するためのインターフェースと、を有することを特徴とする。
【０００８】
請求項１に記載する本発明の電子画像記録装置付き拡大鏡によれば、拡大レンズが光軸に沿い観察対象を拡大して見せる一方で、拡大レンズの光軸と異なる光軸に沿った観察対象からの光を撮像素子が読み取って画像信号を出力する。この画像信号を画像処理部が拡大レンズの光軸による画像の画像信号に変換し、インターフェースで変換された画像信号が外部へ出力される。すなわち、撮像素子による画像信号は、拡大レンズの光軸に沿う方向で得られる画像に対して、異なる光軸による変形した画像のものである。これを拡大レンズの光軸による画像に変換することで、拡大レンズによる画像を得ることができる。このように、拡大レンズの光軸上でなく、拡大レンズの光軸と異なる光軸上に撮像素子を設けることで、電子画像記録装置付き拡大鏡の薄型化を図ることができる。また、複雑な操作を必要としないので、使用者にとっては非常に扱いやすい。
【０００９】
請求項２に記載する本発明の電子画像記録装置付き拡大鏡は、請求項１の構成において、前記インターフェースは、ＵＳＢ規格の信号に変換する信号変換部を含むことを特徴とする。
【００１０】
請求項２に記載する本発明の電子画像記録装置付き拡大鏡によれば、インターフェースの信号変換部は、画像信号をＵＳＢ規格の信号に変換する。このように、画像信号をＵＳＢ規格の信号に変換することで、パーソナルコンピュータでの利用が容易にできる。
【００１１】
請求項３に記載する本発明の電子画像記録装置付き拡大鏡は、請求項１または請求項２記載の構成において、前記インターフェースは、前記画像信号を記録する記録媒体を装填するための前記拡大鏡本体に設けられたスロットに設けられることを特徴とする。
【００１２】
請求項３に記載する本発明の電子画像記録装置付き拡大鏡によれば、インターフェースがスロットに設けられ、スロットでは、画像信号を記録する記録媒体が装填される。このように、インターフェースをスロットに設け、このスロットに記録媒体を装填させる構成とすることで、パーソナルコンピュータに繋がなくても画像記録が可能になるので、持ち運び等の点で便利になる。
【００１３】
【発明の実施の形態】
本発明における電子画像記録装置付き拡大鏡の第１の実施の形態を図面に基づき説明する。
【００１４】
図１（Ａ）は、電子画像記録装置付き拡大鏡の使用時の状態を示す斜視図である。図１（Ａ）に示すように、電子画像記録装置付き拡大鏡１０の拡大鏡本体１１は、フレーム１８を備えている。フレーム１８には、拡大レンズ１２が嵌め込まれている。拡大レンズ１２は、ガラスもしくはプラスチック等の凸レンズからなる。
【００１５】
図２に示すように、フレーム１８にて、観察対象５０に近い方の側には、オートフォーカス機能（図示省略）を有する結像手段としての撮影レンズ１４、１５が拡大レンズ１２の左右両側に設けられている。フレーム１８の内部にて、撮影レンズ１４、１５の光軸Ｂ上には、撮像素子としてのＣＣＤ１６、１７が配置されている。ＣＣＤ１６、１７は、撮影レンズ１４，１５からの光を読み取って画像信号を出力するようになっている。
【００１６】
図１（Ａ）に示すように、フレーム１８には、取っ手２０が取り付けられている。取っ手２０は、柱状であって使用時に手で握り易い太さ及び大きさで形成されている。取っ手２０の中央ややフレーム１８寄りには、スイッチとしてのレリーズボタン２２が配置されている。画像信号を出力したい場合には、このレリーズボタン２２が押されることになる。取っ手２０の末端部には、インターフェースとしてのＵＳＢ３２が設けられている。ＵＳＢ３２には、外部端子３６が接続できるようになっている。
【００１７】
また、取っ手２０の内部には、図３に示すように、画像処理部２４が設けられている。画像処理部２４には、入力補正部２６、２７、があり、ここでは画像のノイズを除去する。入力補正部２６、２７には、正視変形部２８、２９が接続されている。正視変形部２８、２９は、図２に示すような撮影レンズ１４、１５の光軸Ｂによる画像を拡大レンズ１２の光軸Ａによる画像の画像信号に変換する。
図３に示すように、正視変形部２８、２９には、合成部３０が接続されている。
合成部３０は、複数の画像（ＣＣＤ１６による画像とＣＣＤ１７による画像）を１つの画像に合成し、精細な画像にする。また、ＵＳＢ３２は、画像信号の変換をする信号変換部を備える出力インターフェース（Ｉ／Ｆ）部３３と外部端子３６（図１（Ａ）参照）を接続するコネクタ部３４とからなる。
【００１８】
なお、電源４４は、ここではバッテリーにより形成されている。
【００１９】
次に、上記の第１の実施形態の作用を説明する。
【００２０】
図２に示すように、拡大レンズ１２が観察対象５０を拡大して見せる一方で、拡大レンズ１２の光軸Ａと異なる光軸Ｂに沿った観察対象５０からの光をＣＣＤ１６、１７が読み取って画像信号を出力する。この画像信号を画像処理部２４が拡大レンズ１２の光軸Ａによる画像の画像信号に変換する。ここで、レリーズボタン２２が押されると、変換された画像信号は、ＵＳＢ３２でＵＳＢ規格の信号に変換され、パーソナルコンピュータ３８へ出力される。このように、拡大レンズ１２の光軸Ａ上でなく、拡大レンズ１２の光軸Ａと異なる光軸Ｂ上にＣＣＤ１６、１７を設けることで、電子画像記録装置付き拡大鏡１０の薄型化を図ることができる。また、画像信号をＵＳＢ規格の信号に変換することで、パーソナルコンピュータ３８での利用が容易にできる。さらに、複雑な操作を必要としないので、使用者にとっては非常に扱いやすい。
【００２１】
次に、図１（Ｂ）に基づいて、第２の実施の形態を説明する。第２の実施の形態は、第１の実施の形態とほぼ同様の構成であるが、インターフェースがスロットとしてのメモリーカードスロット４０に設けられている点で異なる。
【００２２】
第２の実施の形態によれば、画像信号を記録する場合、メモリーカードスロット４０には、記録媒体としてのスマートメディア（ＳｍａｒｔＭｅｄｉａ（Ｒ））等のメモリーカード４２が装填され、メモリーカードスロット４０でメモリーカード４２に画像信号を記録させる。このようにインターフェースをメモリーカードスロット４０に設け、このメモリーカードスロット４０にメモリーカード４２を装填させる構成とすることで、パーソナルコンピュータ３８（図１（Ａ）参照）に繋がなくても画像記録が可能になるので、持ち運び等の点で便利になる。
【００２３】
なお、上記の実施の形態では、結像手段として撮影レンズを設ける構成を例にとって説明したが、ピンホールを設ける構成にして高感度のＣＣＤを配置しても良く、結像手段はこれに限定されない。
【００２４】
また、上記の実施の形態では、結像手段としての撮影レンズの配置構成につき、フレームにて観察対象に近い方の側に設けているが、例えば、フレームにて（観察者の）目に近い方の側に設けることも可能であり、結像手段の配置構成はこれに限定されない。また、結像手段としての撮影レンズが拡大レンズの左右両側に２つ設けられる構成としているが、撮影レンズを１つ設ける構成として画像の合成を省略したり、撮影レンズを３つ以上設ける構成としても良い。この場合、撮影レンズを１つのみ設けた場合には、合成部３０は不要であり、３つ以上設ける場合には、合成部３０の入力側に、該当する入力数の入力を行い、合成させれば良い。
【００２５】
さらに、上記の第２の実施の形態では、記録媒体としてスマートメディア（ＳｍａｒｔＭｅｄｉａ（Ｒ））等のメモリーカードを使用し、スロットとしてメモリーカードスロットを使用する場合を例にとって説明したが、例えば、記録媒体としてフロッピー（Ｒ）ディスクを使用し、スロットとしてフッロピーディスク用スロットを使用する構成としても良く、記録媒体及びスロットはこれに限定されない。
【００２６】
なお、上記の実施の形態では、フレームに柱状の取っ手を設けているが、把持する部分は、例えば、略扇状の把持部であっても良く、本発明はこれに限定されない。
【００２７】
また、上記実施の形態では、レリーズボタン２２を押下することで、ＵＳＢ３２により信号変換する場合を説明したが、本発明はこれに限定されない。例えば、電源スイッチと兼用しても良い。このようにすることで、レリーズボタン２２の押下時にのみ、電源供給がなされ、信号出力が可能となる。また、レリーズボタン２２は、画像処理部２４の何れに用いても良い。例えば、信号線の接続、非接続に切り換える切換スイッチをＣＣＤ１６、１７からコネクタ３４の途中の信号線上に付加することで良い。
【００２８】
【発明の効果】
以上説明したように、本発明の電子画像記録装置付き拡大鏡によれば、薄型化を図れるとともに、簡単な操作により拡大レンズで覗いた観察対象の電子的画像を記録できるという優れた効果を有する。
【図面の簡単な説明】
【図１】（Ａ）本発明の第１の実施形態に係る電子画像記録装置付き拡大鏡の使用時の状態を示す斜視図である。
（Ｂ）本発明の第２の実施形態に係る電子画像記録装置付き拡大鏡の取っ手末端部の斜視図である。
【図２】本発明の第１の実施形態に係る電子画像記録装置付き拡大鏡の概略構成図である。
【図３】本発明の第１の実施形態に係る電子画像記録装置付き拡大鏡のブロック図である。
【図４】従来技術に係る電子式拡大鏡の機能ブロック図である。
【符号の説明】
１０    電子画像記録装置付き拡大鏡
１１    拡大鏡本体
１２    拡大レンズ
１６、１７    ＣＣＤ（撮像素子）
２４    画像処理部
３２    ＵＳＢ（インターフェース）
４０    メモリーカードスロット（スロット）
【図１】
2004187231.tif 000003
【図２】
2004187231.tif 000004
【図３】
2004187231.tif 000005
【図４】
2004187231.tif 000006